(57)【要約】【課題】高線形かつ低ノイズに動作する送信回路を提供する。【解決手段】ＡＭ可変ｆｃフィルタ１０２は、ＡＭカットオフ周波数を用いて、振幅信号から高周波成分を除去する。増幅器１０５は、ＡＭ可変ｆｃフィルタ１０２から出力された振幅信号を増幅した電圧をパワーアンプ１０７に供給する。ＰＭ可変ｆｃフィルタ１０３は、ＰＭカットオフ周波数を用いて、位相信号から高周波成分を除去する。位相変調器１０４は、ＰＭ可変ｆｃフィルタ１０３から出力された位相信号を位相変調し、高周波位相変調信号を出力する。パワーアンプ１０７は、高周波位相変調信号を増幅器１０５から供給された電圧で増幅して、送信信号として出力する。ＡＭ可変ｆｃフィルタ１０２及びＰＭ可変ｆｃフィルタ１０３は、送信信号の出力パワーと逆特性の関係になるように、ＡＭカットオフ周波数及びＰＭカットオフ周波数を制御する。【選択図】図１
2008283678.tif 000002
【特許請求の範囲】
【請求項１】
入力信号を振幅信号と位相信号とに変換して出力する信号変換部と、
ＡＭカットオフ周波数を用いて、前記振幅信号から高周波成分を除去するＡＭ可変ｆｃフィルタと、
前記ＡＭ可変ｆｃフィルタから出力された振幅信号を増幅して得られた振幅成分信号を出力する増幅器と、
ＰＭカットオフ周波数を用いて、前記位相信号から高周波成分を除去するＰＭ可変ｆｃフィルタと、
前記ＰＭ可変ｆｃフィルタから出力された位相信号を位相変調し、高周波位相変調信号を出力する位相変調器と、
前記高周波位相変調信号を前記増幅器から出力された振幅成分信号で増幅して、送信信号として出力するパワーアンプと、
前記ＡＭ可変ｆｃフィルタのＡＭカットオフ周波数を調整するＡＭｆｃ調整回路と、
前記ＰＭ可変ｆｃフィルタのＰＭカットオフ周波数を調整するＰＭｆｃ調整回路とを備え、
前記ＡＭｆｃ調整回路は、パワーレベル信号が大きいと前記ＡＭカットオフ周波数を小さくし、パワーレベル信号が小さいと前記ＡＭカットオフ周波数を大きくすることで、前記ＡＭ可変ｆｃフィルタのＡＭカットオフ周波数を調整し、
前記ＰＭｆｃ調整回路は、パワーレベル信号が大きいと前記ＰＭカットオフ周波数を小さくし、パワーレベル信号が小さいと前記ＰＭカットオフ周波数を大きくすることで、前記ＰＭ可変ｆｃフィルタのＰＭカットオフ周波数を調整することを特徴とする、送信回路。
【請求項２】
前記パワーレベル信号に応じて、前記ＡＭ可変ｆｃフィルタ、及び前記ＰＭ可変ｆｃフィルタに設定する最適なＡＭカットオフ周波数、及びＰＭカットオフ周波数が予め記憶されたルックアップテーブルをさらに備え、
前記ＡＭ可変ｆｃフィルタは、前記パワーレベル信号に応じて、前記ルックアップテーブルから最適なＡＭカットオフ周波数を読出し、
前記ＰＭ可変ｆｃフィルタは、前記パワーレベル信号に応じて、前記ルックアップテーブルから最適なＰＭカットオフ周波数を読み出すことを特徴とする、請求項１に記載の送信回路。
【請求項３】
前記ルックアップテーブルから読み出されたＡＭカットオフ周波数に応じた基準信号を発生させるＡＭ基準信号源と、
前記ルックアップテーブルから読み出されたＰＭカットオフ周波数に応じた基準信号を発生させるＰＭ基準信号源とをさらに備え、
前記ＡＭｆｃ調整回路は、前記ＡＭ基準信号源が発生させた基準信号の周波数と同じになるように、前記ＡＭ可変ｆｃフィルタのＡＭカットオフ周波数を調整し、
前記ＰＭｆｃ調整回路は、前記ＰＭ基準信号源が発生させた基準信号の周波数と同じになるように、前記ＰＭ可変ｆｃフィルタのＰＭカットオフ周波数を調整することを特徴とする、請求項２に記載の送信回路。
【請求項４】
前記ＡＭｆｃ調整回路は、
所定のカットオフ周波数を用いて、前記ＡＭ基準信号源が発生させた基準信号から高周波成分を除去する参照用可変ｆｃフィルタと、
前記ＡＭ基準信号源が発生させた基準信号と、前記参照用可変ｆｃフィルタの出力信号との位相を比較し、当該比較結果を前記参照用可変ｆｃフィルタのカットオフ周波数を制御するための制御信号として出力する位相比較器と、
前記位相比較器からの制御信号を前記参照用可変ｆｃフィルタに出力するＬＰＦとを備え、
前記ＡＭ可変ｆｃフィルタと、前記参照用可変ｆｃフィルタとは同一チップ上に設けられており、
前記ＡＭｆｃ調整回路は、前記ＬＰＦから出力された制御信号を用いて、前記ＡＭ可変ｆｃフィルタのＡＭカットオフ周波数を制御することを特徴とする、請求項３に記載の送信回路。
【請求項５】
前記ＰＭｆｃ調整回路は、
所定のカットオフ周波数を用いて、前記ＰＭ基準信号源が発生させた基準信号から高周波成分を除去する参照用可変ｆｃフィルタと、
前記ＰＭ基準信号源が発生させた基準信号と、前記参照用可変ｆｃフィルタの出力信号との位相を比較し、当該比較結果を前記参照用可変ｆｃフィルタのカットオフ周波数を制御するための制御信号として出力する位相比較器と、
前記位相比較器からの制御信号を前記参照用可変ｆｃフィルタに出力するＬＰＦとを備え、
前記ＰＭ可変ｆｃフィルタと、前記参照用可変ｆｃフィルタとは同一チップ上に設けられており、
前記ＰＭｆｃ調整回路は、前記ＬＰＦから出力された制御信号を用いて、前記ＰＭ可変ｆｃフィルタのＰＭカットオフ周波数を制御することを特徴とする、請求項３に記載の送信回路。
【請求項６】
前記パワーレベル信号が所定のしきい値よりも小さいときは、前記ＡＭｆｃ調整回路、前記ＰＭｆｃ調整回路、前記ＡＭ基準信号源、及び前記ＰＭ基準信号源を動作させないことを特徴とする、請求項３に記載の送信回路。
【請求項７】
前記振幅信号の遅延時間を調整するＡＭ遅延調整回路をさらに備えることを特徴とする、請求項１に記載の送信回路。
【請求項８】
前記位相信号の遅延時間を調整するＰＭ遅延調整回路をさらに備えることを特徴とする、請求項１に記載の送信回路。
【請求項９】
通信機器であって、
送信信号を生成する送信回路と、
前記送信回路で生成された送信信号を出力するアンテナとを備え、
前記送信回路は、請求項１に記載の送信回路であることを特徴とする、通信機器。
【請求項１０】
前記アンテナから受信した受信信号を処理する受信回路と、
前記送信回路で生成された送信信号を前記アンテナに出力し、前記アンテナから受信した受信信号を前記受信回路に出力するアンテナ共用器とをさらに備えることを特徴とする、請求項９に記載の通信機器。
【発明の詳細な説明】
【技術分野】
【０００１】
本発明は、携帯電話や無線ＬＡＮ等の通信機器に用いられる送信回路に関し、より特定的には、高線形かつ高効率に動作する送信回路、及びそれを用いた通信機器に関する。
【背景技術】
【０００２】
携帯電話や無線ＬＡＮ等の通信機器は、出力信号の精度を確保しつつ、かつ低消費電力で動作することが求められている。そして、このような通信機器には、高線形な送信信号を出力し、かつ高効率で動作する送信回路が用いられる。以下に、従来の送信回路について説明する。
【０００３】
従来の送信回路としては、例えば、直交変調等の変調方式を利用して、送信信号を生成する送信回路（以下、直交変調回路と記す）があった。なお、直交変調回路については、広く知られているため説明を省略する。また、直交変調回路よりも小型かつ高効率に動作する従来の送信回路としては、例えば、非特許文献１に示すような送信回路があった。図１１は、非特許文献１に記載の従来の送信回路５００の構成の一例を示すブロック図である。図１１において、従来の送信回路５００は、信号変換器５０１、ＡＭ固定ｆｃフィルタ５０２、ＰＭ固定ｆｃフィルタ５０３、位相変調器５０４、増幅器５０５、電源端子５０６、パワーアンプ５０７、及び出力端子５０８を備える。
【０００４】
信号変換器５０１には、Ｉ，Ｑ信号が入力される。信号変換器５０１は、Ｉ，Ｑ信号を振幅信号と位相信号とに変換して出力する。振幅信号は、ＡＭ固定ｆｃフィルタ５０２に入力される。ＡＭ固定ｆｃフィルタ５０２は、固定されたカットオフ周波数（ＡＭ＿ｆｃ）を用いて、振幅信号から高周波成分を除去する。ＡＭ固定ｆｃフィルタ５０２から出力された振幅信号は、増幅器５０５に入力される。増幅器５０５は、入力された振幅信号に比例した電圧をパワーアンプ５０７に供給する。これによって、パワーアンプ５０７に対する電流駆動能力を向上させることができる。なお、増幅器５０５には、電源端子５０６から直流電圧が供給されている。
【０００５】
また、位相信号は、ＰＭ固定ｆｃフィルタ５０３に入力される。ＰＭ固定ｆｃフィルタ５０３は、固定されたカットオフ周波数（ＰＭ＿ｆｃ）を用いて、位相信号から高周波成分を除去する。ＰＭ固定ｆｃフィルタ５０３から出力された位相信号は、位相変調器５０４に入力される。位相変調器５０４は、位相信号を位相変調し、高周波位相変調信号を出力する。高周波位相変調信号は、パワーアンプ５０７に入力される。パワーアンプ５０７は、高周波位相変調信号を増幅器５０５から供給された電圧で増幅して、増幅信号として出力する。この増幅信号が、送信信号として出力端子５０８から出力される。なお、このような送信回路５００をポーラ変調回路という。
【０００６】
ところで、ＡＭ固定ｆｃフィルタ５０２、及びＰＭ固定ｆｃフィルタ５０３のカットオフ周波数と、送信信号のノイズ、歪み（ＡＣＬＲ）、及びＥＶＭとの間には、トレードオフの関係が成立している。一例として、３ＧＰＰ（3rd Generation Partnership Project：第3世代(3G)移動体通信システム）の標準規格で規定されるＵＭＴＳ変調信号を送信する場合について以下に示す。図１２Ａは、従来の送信回路５００が出力する送信信号に含まれる送信キャリア信号から４５ＭＨｚ離れた周波数における受信帯域ノイズを示す図である。図１２Ｂは、従来の送信回路５００が出力する送信信号の歪み（ＡＣＬＲ＠１０ＭＨｚ離れ）を示す図である。図１２Ｃは、従来の送信回路５００が出力する送信信号のＥＶＭを示す図である。図１２Ａ〜Ｃにおいて、横軸は、振幅信号から高周波成分を除去するＡＭ固定ｆｃフィルタ５０２のカットオフ周波数（ＡＭ＿ｆｃ）を示す。縦軸は、位相信号から高周波成分を除去するＰＭ固定ｆｃフィルタ５０３のカットオフ周波数（ＰＭ＿ｆｃ）を示す。
【０００７】
図１２Ａに示すように、ＡＭ固定ｆｃフィルタ５０２のカットオフ周波数（ＡＭ＿ｆｃ）、及びＰＭ固定ｆｃフィルタ５０３のカットオフ周波数（ＰＭ＿ｆｃ）が小さい程、送信信号のノイズが低減している。また、図１２Ｂに示すように、ＡＭ固定ｆｃフィルタ５０２のカットオフ周波数（ＡＭ＿ｆｃ）、及びＰＭ固定ｆｃフィルタ５０３のカットオフ周波数（ＰＭ＿ｆｃ）が大きい程、送信信号の歪み（ＡＣＬＲ）が改善している。また、図１２Ｃに示すように、ＰＭ固定ｆｃフィルタ５０３のカットオフ周波数（ＰＭ＿ｆｃ）が大きい程、送信信号のＥＶＭが改善している。
【０００８】
従来の送信回路５００においては、送信信号のノイズ、歪み（ＡＣＬＲ）、及びＥＶＭのバランスを考慮し、最適な送信信号を出力できるように、ＡＭ固定ｆｃフィルタ５０２のカットオフ周波数（ＡＭ＿ｆｃ）、及びＰＭ固定ｆｃフィルタ５０３のカットオフ周波数（ＰＭ＿ｆｃ）を予め決定していた。
【非特許文献１】エフ・エッチ・ラーブ（Ｆ．Ｈ．Ｒａａｂ）他、「ハイ−エフィシェンシー  エル−バンド  カーン−テクニック  トランスミッター（Ｈｉｇｈ−ｅｆｆｉｃｉｅｎｃｙ  Ｌ−ｂａｎｄ  Ｋａｈｎ−ｔｅｃｈｎｉｑｕｅ  ｔｒａｎｓｍｉｔｔｅｒ）」、１９９８年  アイトリプルイー・エムティティ−エス  イント・マイクロウェーブ・シンポ・ディグ（１９９８  ＩＥＥＥ  ＭＴＴ−Ｓ  Ｉｎｔ．Ｍｉｃｒｏｗａｖｅ  Ｓｙｍｐ．Ｄｉｇ．）
【発明の開示】
【発明が解決しようとする課題】
【０００９】
しかしながら、従来の送信回路５００は、ＡＭ固定ｆｃフィルタ５０２のカットオフ周波数（ＡＭ＿ｆｃ）、及びＰＭ固定ｆｃフィルタ５０３のカットオフ周波数（ＰＭ＿ｆｃ）が固定されていたために、送信信号の出力パワーが変わったときなど、送信信号のノイズ、ＡＣＬＲ、及びＥＶＭのバランスが崩れ、必ずしも高線形、低ノイズな送信信号を出力することができないという課題があった。
【００１０】
それ故に、本発明の目的は、送信信号の出力パワーが変わったときにも、高線形かつ低ノイズに動作する送信回路を提供することである。
【課題を解決するための手段】
【００１１】
本発明は、送信回路に向けられている。そして、上記目的を達成させるために、本発明の送信回路は、入力信号を振幅信号と位相信号とに変換して出力する信号変換部と、ＡＭカットオフ周波数を用いて、振幅信号から高周波成分を除去するＡＭ可変ｆｃフィルタと、ＡＭ可変ｆｃフィルタから出力された振幅信号を増幅して得られた振幅成分信号を出力する増幅器と、ＰＭカットオフ周波数を用いて、位相信号から高周波成分を除去するＰＭ可変ｆｃフィルタと、ＰＭ可変ｆｃフィルタから出力された位相信号を位相変調し、高周波位相変調信号を出力する位相変調器と、高周波位相変調信号を増幅器から出力された振幅成分信号で増幅して、送信信号として出力するパワーアンプと、ＡＭ可変ｆｃフィルタのＡＭカットオフ周波数を調整するＡＭｆｃ調整回路と、ＰＭ可変ｆｃフィルタのＰＭカットオフ周波数を調整するＰＭｆｃ調整回路とを備える。ＡＭｆｃ調整回路は、パワーレベル信号が大きいと前記ＡＭカットオフ周波数を小さくし、パワーレベル信号が小さいと前記ＡＭカットオフ周波数を大きくすることで、ＡＭ可変ｆｃフィルタのＡＭカットオフ周波数を調整する。ＰＭｆｃ調整回路は、パワーレベル信号が大きいとＰＭカットオフ周波数を小さくし、パワーレベル信号が小さいとＰＭカットオフ周波数を大きくすることで、ＰＭ可変ｆｃフィルタのＰＭカットオフ周波数を調整する。
【００１２】
好ましくは、送信回路は、パワーレベル信号に応じて、ＡＭ可変ｆｃフィルタ、及びＰＭ可変ｆｃフィルタに設定する最適なＡＭカットオフ周波数、及びＰＭカットオフ周波数が予め記憶されたルックアップテーブルをさらに備える。この場合、ＡＭ可変ｆｃフィルタは、パワーレベル信号に応じて、ルックアップテーブルから最適なＡＭカットオフ周波数を読出す。ＰＭ可変ｆｃフィルタは、パワーレベル信号に応じて、ルックアップテーブルから最適なＰＭカットオフ周波数を読み出す。
【００１３】
好ましくは、送信回路は、ルックアップテーブルから読み出されたＡＭカットオフ周波数に応じた基準信号を発生させるＡＭ基準信号源と、ルックアップテーブルから読み出されたＰＭカットオフ周波数に応じた基準信号を発生させるＰＭ基準信号源とをさらに備える。この場合、ＡＭｆｃ調整回路は、ＡＭ基準信号源が発生させた基準信号の周波数と同じになるように、ＡＭ可変ｆｃフィルタのＡＭカットオフ周波数を調整する。ＰＭｆｃ調整回路は、ＰＭ基準信号源が発生させた基準信号の周波数と同じになるように、ＰＭ可変ｆｃフィルタのＰＭカットオフ周波数を調整する。
【００１４】
ＡＭｆｃ調整回路は、所定のカットオフ周波数を用いて、ＡＭ基準信号源が発生させた基準信号から高周波成分を除去する参照用可変ｆｃフィルタと、ＡＭ基準信号源が発生させた基準信号と、参照用可変ｆｃフィルタの出力信号との位相を比較し、当該比較結果を参照用可変ｆｃフィルタのカットオフ周波数を制御するための制御信号として出力する位相比較器と、位相比較器からの制御信号を参照用可変ｆｃフィルタに出力するＬＰＦとを備える。この場合、ＡＭ可変ｆｃフィルタと、参照用可変ｆｃフィルタとは同一チップ上に設けられる。ＡＭｆｃ調整回路は、ＬＰＦから出力された制御信号を用いて、ＡＭ可変ｆｃフィルタのＡＭカットオフ周波数を制御する。
【００１５】
ＰＭｆｃ調整回路は、所定のカットオフ周波数を用いて、ＰＭ基準信号源が発生させた基準信号から高周波成分を除去する参照用可変ｆｃフィルタと、ＰＭ基準信号源が発生させた基準信号と、参照用可変ｆｃフィルタの出力信号との位相を比較し、当該比較結果を参照用可変ｆｃフィルタのカットオフ周波数を制御するための制御信号として出力する位相比較器と、位相比較器からの制御信号を参照用可変ｆｃフィルタに出力するＬＰＦとを備える。この場合、ＰＭ可変ｆｃフィルタと、参照用可変ｆｃフィルタとは同一チップ上に設けられる。ＰＭｆｃ調整回路は、ＬＰＦから出力された制御信号を用いて、ＰＭ可変ｆｃフィルタのＰＭカットオフ周波数を制御する。
【００１６】
また、送信回路は、パワーレベル信号が所定のしきい値よりも小さいときは、ＡＭｆｃ調整回路、ＰＭｆｃ調整回路、ＡＭ基準信号源、及びＰＭ基準信号源を動作させないでもよい。
【００１７】
また、送信回路は、振幅信号の遅延時間を調整するＡＭ遅延調整回路をさらに備える構成であってもよい。また、送信回路は、位相信号の遅延時間を調整するＰＭ遅延調整回路をさらに備える構成であってもよい。
【００１８】
また、本発明は、上述した送信回路を備える通信機器にも向けられている。通信機器は、送信信号を生成する送信回路と、送信回路で生成された送信信号を出力するアンテナとを備える。また、通信機器は、アンテナから受信した受信信号を処理する受信回路と、送信回路で生成された送信信号をアンテナに出力し、アンテナから受信した受信信号を受信回路に出力するアンテナ共用部とをさらに備えてもよい。
【発明の効果】
【００１９】
以上のように、本発明によれば、送信信号の出力パワー（すなわち、パワーレベル信号）が小さいときは、ノイズが小さくなりＡＣＬＲが劣化するので、ノイズを低減するよりも、ＡＭ可変ｆｃフィルタのカットオフ周波数（ＡＭ＿ｆｃ）、及びＰＭ可変ｆｃフィルタのカットオフ周波数（ＰＭ＿ｆｃ）を大きくして、ＡＣＬＲを改善することを優先する。一方、送信回路は、送信信号の出力パワー（すなわち、パワーレベル信号）が大きいときは、ノイズが大きくなりＡＣＬＲが改善するので、ＡＣＬＲを改善するよりも、ＡＭ可変ｆｃフィルタのカットオフ周波数（ＡＭ＿ｆｃ）、及びＰＭ可変ｆｃフィルタのカットオフ周波数（ＰＭ＿ｆｃ）を小さくして、ノイズを低減することを優先する。これによって、送信回路は、送信信号の出力パワーが変わったときにも、高線形かつ低ノイズに動作することができる。
【００２０】
また、本発明の通信機器によれば、上述した送信回路を用いることで、広い出力電力の範囲に渡って、低歪みかつ低ノイズに動作することができる。
【００２１】
本発明のこれらおよび他の目的、特徴、局面、効果は、添付図面と照合して、以下の詳細な説明から一層明らかになるであろう。
【発明を実施するための最良の形態】
【００２２】
（第１の実施形態）
図１は、本発明の第１の実施形態に係る送信回路１の構成の一例を示すブロック図である。図１において、送信回路１は、信号変換器１０１、ＡＭ可変ｆｃフィルタ１０２、ＰＭ可変ｆｃフィルタ１０３、位相変調器１０４、増幅器１０５、電源端子１０６、パワーアンプ１０７、出力端子１０８、ＡＭルックアップテーブル（ＬＵＴ＿ＡＭ）１０９、及びＰＭルックアップテーブル（ＬＵＴ＿ＰＭ）１１０を備える。
【００２３】
信号変換器１０１には、Ｉ，Ｑ信号が入力される。信号変換器１０１は、Ｉ，Ｑ信号を振幅信号と位相信号とに変換して出力する。振幅信号は、ＡＭ可変ｆｃフィルタ１０２に入力される。ＡＭ可変ｆｃフィルタ１０２は、ベースバンド部（図示せず）で設定された送信信号の出力パワーＰｏｕｔ（すなわち、パワーレベル信号）に応じて、ＬＵＴ＿ＡＭ１０９から最適なカットオフ周波数（ＡＭ＿ｆｃ）を読出し、当該読出したカットオフ周波数を用いて、振幅信号から高周波成分を除去する。ＡＭ可変ｆｃフィルタ１０２から出力された振幅信号は、増幅器１０５に入力される。増幅器１０５は、入力された振幅信号に比例した振幅成分信号をパワーアンプ１０７に供給する。これによって、パワーアンプ１０７に対する電流駆動能力を向上させることができる。増幅器１０５には、電源端子１０６から直流電圧が供給されている。
【００２４】
また、位相信号は、ＰＭ可変ｆｃフィルタ１０３に入力される。ＰＭ可変ｆｃフィルタ１０３は、ベースバンド部（図示せず）で設定された送信信号の出力パワーＰｏｕｔ（すなわち、パワーレベル信号）に応じて、ＬＵＴ＿ＡＭ１１０から最適なカットオフ周波数（ＰＭ＿ｆｃ）を読出し、当該読出したカットオフ周波数を用いて、位相信号から高周波成分を除去する。ＰＭ可変ｆｃフィルタ１０３から出力された位相信号は、位相変調器１０４に入力される。位相変調器１０４は、位相信号を位相変調し、高周波位相変調信号を出力する。高周波位相変調信号は、パワーアンプ１０７に入力される。パワーアンプ１０７は、高周波位相変調信号を増幅器１０５から供給された振幅成分信号で増幅して、増幅信号として出力する。この増幅信号が、送信信号として出力端子１０８から出力される。増幅器１０５及びパワーアンプ１０７の構成については後に説明する。
【００２５】
図２Ａは、一例として、ＵＭＴＳ変調信号を送信する送信回路１が出力する送信信号の出力パワーＰｏｕｔと送信キャリア信号から４５ＭＨｚ離れた周波数における受信帯域ノイズとの関係を示す図である。図２Ｂは、送信信号の出力パワーＰｏｕｔと、送信信号のＡＣＬＲ及びＥＶＭとの関係を示す図である。ただし、ＡＭ可変ｆｃフィルタ１０２及びＰＭ可変ｆｃフィルタ１０３に設定されるカットオフ周波数は一定であることを条件とする。図２Ａに示すように、送信信号の出力パワーＰｏｕｔが大きくなる程、送信信号のノイズも大きくなっている。一方、図２Ｂを参照して、送信信号の出力パワーＰｏｕｔが大きくなる程、送信信号のＡＣＬＲが改善している。
【００２６】
従って、送信回路１は、送信信号の出力パワーＰｏｕｔ（すなわち、パワーレベル信号）が小さいときは、ノイズが小さくなりＡＣＬＲが劣化するので、ノイズを低減するよりも、ＡＭ可変ｆｃフィルタ１０２のカットオフ周波数（ＡＭ＿ｆｃ）、及びＰＭ可変ｆｃフィルタ１０３のカットオフ周波数（ＰＭ＿ｆｃ）を大きくして、ＡＣＬＲを改善することを優先する。一方、送信回路１は、送信信号の出力パワーＰｏｕｔ（すなわち、パワーレベル信号）が大きいときは、ノイズが大きくなりＡＣＬＲが改善するので、ＡＣＬＲを改善するよりも、ＡＭ可変ｆｃフィルタ１０２のカットオフ周波数（ＡＭ＿ｆｃ）、及びＰＭ可変ｆｃフィルタ１０３のカットオフ周波数（ＰＭ＿ｆｃ）を小さくして、ノイズを低減することを優先する。
【００２７】
このように、送信回路１は、送信信号の出力パワーＰｏｕｔと逆特性の関係になるように、ＡＭ可変ｆｃフィルタ１０２のカットオフ周波数（ＡＭ＿ｆｃ）、及びＰＭ可変ｆｃフィルタ１０３のカットオフ周波数（ＰＭ＿ｆｃ）を制御することで、送信信号のノイズを低減すると共に、ＡＣＬＲを改善することができる。
【００２８】
なお、送信回路１は、送信信号の出力パワーＰｏｕｔが小さいときに、ＡＭ可変ｆｃフィルタ１０２のカットオフ周波数（ＡＭ＿ｆｃ）、及びＰＭ可変ｆｃフィルタ１０３のカットオフ周波数（ＰＭ＿ｆｃ）を大きくすることで、送信信号のＥＶＭを改善することも期待できる。
【００２９】
図３Ａは、ＬＵＴ＿ＡＭ１０９の構成の一例を示す図である。図３Ａに示すように、ＬＵＴ＿ＡＭ１０９には、送信信号の出力パワーＰｏｕｔに応じて、ＡＭ可変ｆｃフィルタ１０２に設定される最適なカットオフ周波数（ＡＭ＿ｆｃ）が予め記憶されているものとする。なお、図３Ａに示す例では、Ｐ１≦Ｐ２≦Ｐ３≦・・・≦Ｐｎ、及びａ１≧ａ２≧ａ３≧・・≧ａｎの関係にあるものとする。図３Ｂは、ＬＵＴ＿ＰＭ１１０の構成の一例を示す図である。図３Ｂを参照して、ＬＵＴ＿ＰＭ１１０には、送信信号の出力パワーＰｏｕｔに応じて、ＰＭ可変ｆｃフィルタ１０３に設定される最適なカットオフ周波数（ＰＭ＿ｆｃ）が予め記憶されているものとする。なお、図３Ｂに示す例では、Ｐ１≦Ｐ２≦Ｐ３≦・・・≦Ｐｎ、及びｂ１≧ｂ２≧ｂ３≧・・≧ｂｎの関係にあるものとする。また、ＬＵＴ＿ＡＭ１０９と、ＬＵＴ＿ＰＭ１１０とをまとめて、１つのルックアップテーブル（ＬＵＴ）と捉えてもよい。
【００３０】
また、送信回路１は、必ずしもＬＵＴ＿ＡＭ１０９、及びＬＵＴ＿ＰＭ１１０を備える構成である必要はない。すなわち、送信回路１は、ＬＵＴ＿ＡＭ１０９、及びＬＵＴ＿ＰＭ１１０を備える代わりに、演算によりＡＭ可変ｆｃフィルタ１０２に設定される最適なカットオフ周波数（ＡＭ＿ｆｃ）、及びＰＭ可変ｆｃフィルタ１０３に設定される最適なカットオフ周波数（ＰＭ＿ｆｃ）を求める構成であってもよい。
【００３１】
また、上述したＡＭ可変ｆｃフィルタ１０２、及びＰＭ可変ｆｃフィルタ１０３は、デジタルフィルタ及びアナログフィルタのどちらであってもよく、フィルタの種類および次数に依らず同様の効果が得られる。
【００３２】
次に、増幅器１０５の構成について説明する。増幅器１０５は、例えば、シリーズレギュレータを用いて構成することができる。図４Ａは、シリーズレギュレータ１０５ａの構成の一例を示すブロック図である。図４Ａにおいて、シリーズレギュレータ１０５ａは、入力端子１４１、比較器１４２、電源端子１４３、トランジスタ１４４、及び出力端子１４５を含む。ここでは、トランジスタ１４４を電界効果トランジスタとする。入力端子１４１には、ＡＭ可変ｆｃフィルタ１０２を介して振幅信号が入力される。振幅信号は、比較器１４２を介してトランジスタ１４４のゲート端子に入力される。トランジスタ１４４のドレイン端子には、電源端子１４３から直流電圧が供給されている。
【００３３】
トランジスタ１４４は、入力された振幅信号の大きさに比例した電圧をソース端子から出力する。トランジスタ１４４のソース端子から出力された電圧は、比較器１４２にフィードバックされる。比較器１４２は、フィードバックされた電圧に基づいて、トランジスタ１４４のゲート端子に入力される振幅信号の大きさを調整する。このようにして、シリーズレギュレータ１０５ａは、振幅信号の大きさに応じた電圧を出力端子１４５から安定して供給することができる。なお、トランジスタ１４４は、バイポーラトランジスタであっても同様の効果が得られる。送信回路１は、増幅器１０５にシリーズレギュレータ１０５ａを用いることで、広帯域での動作が可能となる。
【００３４】
また、増幅器１０５は、例えば、スイッチングレギュレータを用いて構成することができる。図４Ｂは、スイッチングレギュレータ１０５ｂの構成の一例を示すブロック図である。図４Ｂにおいて、スイッチングレギュレータ１０５ｂは、入力端子１４１、電源端子１４３、信号変換器１４６、増幅器１４７、ローパスフィルタ１４８及び出力端子１４５を含む。入力端子１４１には、ＡＭ可変ｆｃフィルタ１０２を介して振幅信号が入力される。振幅信号は、信号変換器１４６に入力される。信号変換器１４６は、入力された振幅信号をＰＷＭやデルタシグマ変調された信号に変換する。信号変換器１４６で変換された信号は、増幅器１４７に入力される。増幅器１４７は、入力された信号を増幅して出力する。なお、増幅器１４７には、電源端子１４３から直流電圧が供給されている。増幅器１４７には、Ｄ級アンプなどの高効率スイッチングアンプが用いられる。
【００３５】
増幅器１４７が出力した信号は、ローパスフィルタ１４８に入力される。ローパスフィルタ１４８は、増幅器１４７が出力した信号から量子化雑音やスイッチング雑音などのスプリアス成分を除去する。ローパスフィルタ１４８でスプリアス成分が除去された信号は、振幅信号の大きさに応じた電圧として、出力端子１４５から出力される。なお、スイッチングレギュレータ１０５ｂは、出力する電圧を安定化させるために、ローパスフィルタ１４８から出力される信号を、信号変換器１４６にフィードバックしてもよい。送信回路１は、増幅器１０５に高効率なスイッチングレギュレータ１０５ｂを用いることで、送信回路としての消費電力を低減することができる。
【００３６】
また、増幅器１０５は、例えば、電流駆動型のレギュレータで構成することができる。図４Ｃは、電流駆動型のレギュレータ１０５ｃの構成の一例を示すブロック図である。図４Ｃにおいて、電流駆動型のレギュレータ１０５ｃは、入力端子１４１、電源端子１４３、可変電流源１４９、トランジスタ１５０ａ、トランジスタ１５０ｂ、及び出力端子１４５を含む。入力端子１４１には、ＡＭ可変ｆｃフィルタ１０２を介して振幅信号が入力される。電源端子１４３には、直流電圧が供給されている。入力端子１４１を介して入力された振幅信号は、可変電流源１４９、トランジスタ１５０ａ、及びトランジスタ１５０ｂを介して、振幅信号の大きさに応じた電流として、出力端子１４５から出力される。なお、トランジスタ１５０ａ、及びトランジスタ１５０ｂは、電界効果トランジスタであっても、バイポーラトランジスタであってもよい。
【００３７】
次に、パワーアンプ１０７の構成について説明する。パワーアンプ１０７は、例えば、図５Ａに示すように構成することができる。図５Ａは、パワーアンプ１０７ａの構成の一例を示すブロック図である。図５Ａにおいて、パワーアンプ１０７ａは、入力端子１５１、整合回路１５２、電源端子１５４、トランジスタ１５５、入力端子１５７、整合回路１５８、及び出力端子１５９を含む。ここでは、トランジスタ１５５をバイポーラトランジスタとする。入力端子１５１には、位相変調器１０４から高周波位相変調信号が入力される。高周波位相変調信号は、整合回路１５２を介して、トランジスタ１５５のベース端子に入力される。
【００３８】
また、電源端子１５４には、直流電圧が印加されている。すなわち、トランジスタ１５５のベース端子には、電源端子１５４を介して、電圧が供給される。増幅器１０５がシリーズレギュレータ１０５ａ又はスイッチングレギュレータ１０５ｂで構成されている場合、入力端子１５７には、増幅器１０５から振幅信号の大きさに応じた電圧が供給される。振幅信号の大きさに応じた電圧は、トランジスタ１５５のコレクタ端子に供給される。トランジスタ１５５は、高周波位相変調信号を振幅信号の大きさに応じた電圧で増幅し、増幅信号として出力する。
【００３９】
トランジスタ１５５から出力された増幅信号は、整合回路１５８を介して、出力端子１５９から出力される。なお、トランジスタ１５５は、電界効果トランジスタであっても同様の効果が得られる。また、増幅器１０５が電流駆動型のレギュレータ１０５ｃで構成されている場合、入力端子１５７には、電流駆動型のレギュレータ１０５ｃから振幅信号の大きさに応じた電流が入力される。この場合、振幅信号の大きさに応じた電流は、トランジスタ１５５のコレクタ端子に入力される。トランジスタ１５５は、高周波位相変調信号を振幅信号の大きさに応じた電流で増幅し、増幅信号として出力する。
【００４０】
また、パワーアンプ１０７は、例えば、図５Ｂに示すように構成することができる。図５Ｂは、パワーアンプ１０７ｂの構成の一例を示すブロック図である。図５Ｂにおいて、パワーアンプ１０７ｂは、基本的には、パワーアンプ１０７ａ（図５Ａ参照）を直列に２つ接続した構成である。トランジスタ１５５のベース端子には、電源端子１５４から電圧が供給される。トランジスタ１６１のベース端子には、電源端子１６０から電圧が供給される。
【００４１】
トランジスタ１５５のコレクタ端子には、端子１６４を介して、増幅器１０５から振幅信号の大きさに応じた電圧が供給される。また、トランジスタ１６１のコレクタ端子には、端子１６４を介して、増幅器１０５から振幅信号の大きさに応じた電圧が供給される。このような構成によって、パワーアンプ１０７ｂは、図５Ａに示すパワーアンプ１０７ａと比較して、より大きなダイナミックレンジを有する増幅信号を出力することができる。なお、パワーアンプ１０７ｂにおいては、トランジスタをバイポーラトランジスタとしたが、電界効果トランジスタとしても同様の効果が得られる。また、トランジスタ１５５及び１６１のコレクタ端子に供給される電圧は全く同じである必要はない。例えば、一方のトランジスタのコレクタ端子へ供給される電圧が、他方のトランジスタのコレクタ端子へ供給される電圧の定数倍であってもよい。また、トランジスタ１５５のコレクタ端子には固定電圧が供給され、トランジスタ１６１のコレクタ端子に供給される電圧のみが振幅信号の大きさに応じた電圧であってもよい。
【００４２】
以上のように、本発明の第１の実施形態に係る送信回路１によれば、送信信号の出力パワーＰｏｕｔ（すなわち、パワーレベル信号）が小さいときは、ノイズが小さくなりＡＣＬＲが劣化するので、ノイズを低減するよりも、ＡＭ可変ｆｃフィルタ１０２のカットオフ周波数（ＡＭ＿ｆｃ）、及びＰＭ可変ｆｃフィルタ１０３のカットオフ周波数（ＰＭ＿ｆｃ）を大きくして、ＡＣＬＲを改善することを優先する。一方、送信回路１は、送信信号の出力パワーＰｏｕｔ（すなわち、パワーレベル信号）が大きいときは、ノイズが大きくなりＡＣＬＲが改善するので、ＡＣＬＲを改善するよりも、ＡＭ可変ｆｃフィルタ１０２のカットオフ周波数（ＡＭ＿ｆｃ）、及びＰＭ可変ｆｃフィルタ１０３のカットオフ周波数（ＰＭ＿ｆｃ）を小さくして、ノイズを低減することを優先する。これによって、送信回路１は、送信信号の出力パワーが変わったときにも、それぞれの出力パワーにおいて十分な高線形性かつ低ノイズを維持しつつ動作することができる。
【００４３】
なお、図１では、ベースバンド部からの設定出力パワー（すなわち、パワーレベル信号）に基づいてＬＵＴを参照する構造を示したが、出力端子１０８において実測した出力パワーに基づいてＬＵＴを参照する構造にしてもよい。また、上記説明ではＵＭＴＳ変調信号における例を示したが、本発明の効果はＵＭＴＳ変調信号に限定されるものではなく、他の任意の変調信号・変調方式についても同様の効果を得ることができる。さらに、ＡＭ可変ｆｃフィルタ１０２およびＰＭ可変ｆｃフィルタ１０３に関して、必ずしも同時にカットオフ周波数（ｆｃ）を変化させる必要はなく、ＡＭ可変ｆｃフィルタ１０２およびＰＭ可変ｆｃフィルタ１０３のいずれか一方のみｆｃを可変にする構成でもよい。
【００４４】
（第２の実施形態）
図６は、本発明の第２の実施形態に係る送信回路２の構成の一例を示す図である。図６において、送信回路２は、第１の実施形態に係る送信回路１と比較して、ＡＭｆｃ調整回路１１１、ＰＭｆｃ調整回路１１２、ＡＭ基準信号源１１３、及びＰＭ基準信号源１１４を備える。ＡＭｆｃ調整回路１１１は、ＡＭ可変ｆｃフィルタ１０２の個体ばらつきや温度変化による特性変動を低減するように、ＡＭ可変ｆｃフィルタ１０２のカットオフ周波数を調整する。ＰＭｆｃ調整回路１１２は、ＰＭ可変ｆｃフィルタ１０３の個体ばらつきや温度変化による特性変動を低減するように、ＰＭ可変ｆｃフィルタ１０３のカットオフ周波数を調整する。
【００４５】
ＡＭ基準信号源１１３は、ＬＵＴ＿ＡＭ１０９から出力されたカットオフ周波数（ＡＭ＿ｆｃ）に応じた基準信号を発生させる。ＰＭ基準信号源１１４は、ＬＵＴ＿ＰＭ１１０から出力されたカットオフ周波数（ＰＭ＿ｆｃ）に応じた基準信号を発生させる。ＡＭ基準信号源１１３、及びＰＭ基準信号源１１４は、ＴＣＸＯ（温度補償型水晶発振器）等から構成され、周波数安定性に優れた矩形信号を基準信号として出力する。
【００４６】
図７は、ＡＭｆｃ調整回路１１１の構成の一例を示すブロック図である。図７において、ＡＭｆｃ調整回路１１１は、参照用可変ｆｃフィルタ１１１１、ＬＰＦ１１１２、及び位相比較器１１１３を備える。参照用可変ｆｃフィルタ１１１１及び位相比較器１１１３には、ＡＭ基準信号源１１３が発生させた基準信号が入力される。参照用可変ｆｃフィルタ１１１１は、ＬＰＦ１１１２からの制御信号で決定されるカットオフ周波数を有するＬＰＦとして動作する。参照用可変ｆｃフィルタ１１１１の出力信号は、位相比較器１１１３に入力される。
【００４７】
位相比較器１１１３は、基準信号と、参照用可変ｆｃフィルタ１１１１の出力信号との位相を比較し、当該比較結果を参照用可変ｆｃフィルタ１１１１のカットオフ周波数を制御するための制御信号として出力する。位相比較器１１１３は、典型的には排他的論理和（ＥＸＯＲ）タイプのものが用いられ、基準信号と、参照用可変ｆｃフィルタ１１１１の出力信号との位相差が９０度になるようにＡＭｆｃ調整回路１１１のループが動作する。基準信号と、参照用可変ｆｃフィルタ１１１１の出力信号との位相差が９０度になるときの周波数は参照用可変ｆｃフィルタ１１１１のカットオフ周波数に相当するため、ＡＭｆｃ調整回路１１１は、基準信号の周波数と同じになるように参照用可変ｆｃフィルタ１１１１のカットオフ周波数を調整することになる。
【００４８】
位相比較器１１１３から出力された制御信号は、ＬＰＦ１１１２を介して、参照用可変ｆｃフィルタ１１１１に入力される。参照用可変ｆｃフィルタ１１１１には、例えば、ｇｍ−Ｃフィルタが用いられる。ｇｍ−Ｃフィルタは、減衰特性がＬＣによる２次低域通過型フィルタと同じであり、制御信号に応じてｇｍを変化させることで、カットオフ周波数を制御することができる。
【００４９】
ＡＭ可変ｆｃフィルタ１０２と、参照用可変ｆｃフィルタ１１１１とは等価な特性を有する。好ましくは、ＡＭ可変ｆｃフィルタ１０２と、参照用可変ｆｃフィルタ１１１１とは、物理的に近傍（例えば、同一チップ上）に設けられる。ＡＭ可変ｆｃフィルタ１０２と、参照用可変ｆｃフィルタ１１１１とが物理的に近傍に設けられた場合、半導体中の不純物濃度分布や温度変化等の影響に対して追随性を高く保つことができる。例えば、ＡＭ可変ｆｃフィルタ１０２には、参照用可変ｆｃフィルタ１１１１とペア性の高い（素子ばらつきが小さい）ｇｍ−Ｃフィルタを用いる。
【００５０】
送信回路２は、ＡＭｆｃ調整回路１１１で生成された制御信号をＡＭ可変ｆｃフィルタ１０２のカットオフ周波数を制御するための制御信号として用いることで、ＡＭ可変ｆｃフィルタ１０２のカットオフ周波数を基準信号の周波数に精度よく合わせることができる。なお、ＡＭｆｃ調整回路１１１は、図７に示す構成を備える代わりに、ＬＵＴを参照して、ＡＭ可変ｆｃフィルタ１０２の個体ばらつきや温度変化等による特性変動を低減するように、ＡＭ可変ｆｃフィルタ１０２のカットオフ周波数を調整する構成であってもよい。この場合、ＬＵＴには、予めＡＭ可変ｆｃフィルタ１０２のカットオフ周波数を調整するための値が設定されているものとする。ＰＭｆｃ調整回路１１２は、ＡＭｆｃ調整回路１１１と同様であるため、説明を省略する。
【００５１】
以上のように、本発明の第２の実施形態に係る送信回路２によれば、ＡＭ可変ｆｃフィルタ１０２、及びＰＭ可変ｆｃフィルタ１０３の個体ばらつきや温度変化による特性変動を低減することができる。これによって、送信回路２は、ＡＭ可変ｆｃフィルタ１０２、及びＰＭ可変ｆｃフィルタ１０３の特性がばらついていたとしても、高線形かつ低ノイズに動作することができる。
【００５２】
なお、送信回路２は、図８に示す送信回路２ａのように、送信信号の出力パワーＰｏｕｔ（すなわち、パワーレベル信号）に応じて、ＡＭｆｃ調整回路１１１、ＰＭｆｃ調整回路１１２、ＡＭ基準信号源１１３、及びＰＭ基準信号源１１４を動作させるか否かを切替える構成であってもよい。図８は、本発明の第２の実施形態に係る送信回路２ａの構成の一例を示すブロック図である。図８において、送信回路２ａは、送信信号の出力パワーＰｏｕｔ（すなわち、パワーレベル信号）が小さいときは、ＡＭｆｃ調整回路１１１、ＰＭｆｃ調整回路１１２、ＡＭ基準信号源１１３、およびＰＭ基準信号源１１４が動作する際の消費電力が全体の消費電力に対して無視できないレベルになるため、これらを動作させない。具体的には、送信回路２ａは、送信信号の出力パワーＰｏｕｔ（すなわち、パワーレベル信号）が所定のしきい値よりも小さいときには、ＡＭ可変ｆｃフィルタ１０２とＬＵＴ＿ＡＭ１０９とを接続し、ＰＭ可変ｆｃフィルタ１０３とＬＵＴ＿ＰＭ１１０とを接続するように、スイッチを切替える。
【００５３】
ただし、この場合には低パワー時における個体ばらつきや温度変化による特性変動による歪みの劣化を防ぐために、ＡＭ可変ｆｃフィルタ１０２およびＰＭ可変ｆｃフィルタ１０３のカットオフ周波数の設定を、典型値に対していくらか正方向にマージンをとった値にしておくのが望ましい。
【００５４】
一方、送信回路２ａは、送信信号の出力パワーＰｏｕｔ（すなわち、パワーレベル信号）が大きいときには、ＡＭｆｃ調整回路１１１、ＰＭｆｃ調整回路１１２、ＡＭ基準信号源１１３、及びＰＭ基準信号源１１４を動作させる。具体的には、送信回路２ａは、送信信号の出力パワーＰｏｕｔ（すなわち、パワーレベル信号）が所定のしきい値以上であるときには、ＡＭ可変ｆｃフィルタ１０２とＡＭｆｃ調整回路１１１とを接続し、ＰＭ可変ｆｃフィルタ１０３とＰＭｆｃ調整回路１１２とを接続するように、スイッチを切替える。
【００５５】
これによって、送信回路２ａは、送信信号の出力パワーＰｏｕｔが小さいときは、ＡＭｆｃ調整回路１１１、ＰＭｆｃ調整回路１１２、ＡＭ基準信号源１１３、及びＰＭ基準信号源１１４を動作させないことで、消費電力を低減することができる。
【００５６】
なお、図６および図８では、ベースバンド部からの設定出力パワー（すなわち、パワーレベル信号）に基づいてＬＵＴを参照する構造を示したが、出力端子１０８において実測した出力パワーに基づいてＬＵＴを参照する構造にしてもよい。また、上記説明ではＵＭＴＳ変調信号における例を示したが、本発明の効果はＵＭＴＳ変調信号に限定されるものではなく、他の任意の変調信号・変調方式についても同様の効果を得ることができる。さらに、ＡＭ可変ｆｃフィルタ１０２およびＰＭ可変ｆｃフィルタ１０３に関して、必ずしも同時にカットオフ周波数（ｆｃ）を変化させる必要はなく、ＡＭ可変ｆｃフィルタ１０２およびＰＭ可変ｆｃフィルタ１０３のいずれか一方のみｆｃを可変にする構成でもよい。
【００５７】
（第３の実施形態）
上述した第１〜２の実施形態に係る送信回路１〜２では、振幅信号と位相信号とが分離されており、振幅信号と位相信号とがパワーアンプ１０７に入力されるまでの経路が異なる。そのため、振幅信号と位相信号との間に遅延差が発生する可能性がある。また、ＡＭ可変ｆｃフィルタ１０２及びＰＭ可変ｆｃフィルタ１０３のカットオフ周波数が調整されることで、振幅信号と位相信号との間の遅延差が変化する可能性があった。このような振幅信号と位相信号との間の遅延差は、送信信号が歪む原因となる。したがって、第３の実施形態に係る送信回路は、振幅信号と位相信号との間の遅延差を解消することを特徴とする。
【００５８】
図９Ａは、本発明の第３の実施形態に係る送信回路３ａの一例を示すブロック図である。図９Ａにおいて、送信回路３ａは、第１の実施形態に係る送信回路１（図１参照）と比較して、ＡＭ遅延調整回路１１５と、ＰＭ遅延調整回路１１６とをさらに備える。図９Ｂは、本発明の第３の実施形態に係る送信回路３ｂの一例を示すブロック図である。図９Ｂにおいて、送信回路３ｂは、第２の実施形態に係る送信回路２（図６参照）と比較して、ＡＭ遅延調整回路１１５と、ＰＭ遅延調整回路１１６とをさらに備える。図９Ｃは、本発明の第３の実施形態に係る送信回路３ｂの一例を示すブロック図である。図９Ｃにおいて、送信回路３ｃは、第２の実施形態に係る送信回路２ａ（図８参照）と比較して、ＡＭ遅延調整回路１１５と、ＰＭ遅延調整回路１１６とをさらに備える。これらの例では、ＡＭ遅延調整回路１１５は、ＡＭ可変ｆｃフィルタ１０２と、増幅器１０５との間に接続される。ＰＭ遅延調整回路１１６は、ＰＭ可変ｆｃフィルタ１０３と、位相変調器１０４との間に接続される。
【００５９】
図９Ａ〜９Ｃにおいて、ＡＭ遅延調整回路１１５は、ＡＭ可変ｆｃフィルタ１０２のカットオフ周波数に応じて、振幅信号を最適な遅延時間だけ遅延させて、振幅信号の遅延時間を調整する。ＰＭ遅延調整回路１１６は、ＰＭ可変ｆｃフィルタ１０３のカットオフ周波数に応じて、位相信号を最適な遅延時間だけ遅延させて、位相信号の遅延時間を調整する。これによって、送信回路３ａ〜３ｃは、振幅信号と位相信号との間の遅延差を解消する。
【００６０】
なお、送信回路３ａ〜３ｃは、ＡＭ可変ｆｃフィルタ１０２及びＰＭ可変ｆｃフィルタ１０３のカットオフ周波数に応じて、振幅信号と位相信号とに対応する最適な遅延時間が設定されたＬＵＴを備えていてもよい。この場合、ＡＭ遅延調整回路１１５及びＰＭ遅延調整回路１１６は、ＬＵＰを参照することで、それぞれ最適な遅延時間を算出することができる。
【００６１】
なお、送信回路３ａ〜３ｃは、ＡＭ遅延調整回路１１５を振幅信号の遅延時間を調整できる位置であればどの位置に接続してもよいものとする。例えば、送信回路３ａ〜３ｃは、ＡＭ遅延調整回路１１５を、信号変換器１０１とＡＭ可変ｆｃフィルタ１０２との間に接続してもよい。また、送信回路３ａ〜３ｃは、ＰＭ遅延調整回路１１６を、位相信号の遅延を調整できる位置であればどの位置に接続してもよいものとする。例えば、送信回路３ａ〜３ｃは、ＰＭ遅延調整回路１１６を、信号変換器１０１とＰＭ可変ｆｃフィルタ１０３との間や、位相変調器１０４と、パワーアンプ１０７との間に接続してもよい。
【００６２】
また、送信回路３ａ〜３ｃは、ＡＭ遅延調整回路１１５、又はＰＭ遅延調整回路１１６のどちら一方のみを備える構成であってもよい。これによっても、送信回路３ａ〜３ｃは、振幅信号と位相信号との間に発生する遅延差を解消することができる。
【００６３】
（第４の実施形態）
図１０は、本発明の第４の実施形態に係る通信機器２００の構成の一例を示すブロック図である。図１０を参照して、第４の実施形態に係る通信機器２００は、送信回路２１０、受信回路２２０、アンテナ共用器２３０、及びアンテナ２４０を備える。送信回路２１０は、上述した第１〜３のいずれかに記載の送信回路である。アンテナ共用器２３０は、送信回路２１０から出力された送信信号をアンテナ２４０に伝達し、受信回路２２０に送信信号が漏れるのを防ぐ。また、アンテナ共用器２３０は、アンテナ２４０から入力された受信信号を受信回路２２０に伝達し、受信信号が送信回路２１０に漏れるのを防ぐ。
【００６４】
従って、送信信号は、送信回路２１０から出力され、アンテナ共用器２３０を介してアンテナ２４０から空間に放出される。受信信号は、アンテナ２４０で受信され、アンテナ共用器２３０を介して受信回路２２０で受信される。第４の実施形態に係る通信機器２００は、第１〜３の実施形態に係る送信回路を用いることで、送信信号の線形性および低ノイズ性を確保しつつ、かつ無線装置としての低歪みおよび低ノイズを実現することができる。また、送信回路２１０の出力に方向性結合器などの分岐がないため、送信回路２１０からアンテナ２４０までの損失を低減することが可能であり、送信時の消費電力を低減することができ、無線通信機器として、長時間の使用が可能となる。なお、通信機器２００は、送信回路２１０とアンテナ２４０とのみを備えた構成であってもよい。
【００６５】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００６６】
本発明に係る送信回路は、携帯電話や無線ＬＡＮ等の通信機器等に適用することができる。
【図面の簡単な説明】
【００６７】
【図１】本発明の第１の実施形態に係る送信回路１の構成の一例を示すブロック図
【図２Ａ】送信回路１が出力する送信信号の出力パワーＰｏｕｔとノイズとの関係を示す図
【図２Ｂ】送信信号の出力パワーＰｏｕｔと、送信信号のＡＣＬＲ及びＥＶＭとの関係を示す図
【図３Ａ】ＬＵＴ＿ＡＭ１０９の構成の一例を示す図
【図３Ｂ】ＬＵＴ＿ＰＭ１１０の構成の一例を示す図
【図４Ａ】シリーズレギュレータ１０５ａの構成の一例を示すブロック図
【図４Ｂ】スイッチングレギュレータ１０５ｂの構成の一例を示すブロック図
【図４Ｃ】電流駆動型のレギュレータ１０５ｃの構成の一例を示すブロック図
【図５Ａ】パワーアンプ１０７ａの構成の一例を示すブロック図
【図５Ｂ】パワーアンプ１０７ｂの構成の一例を示すブロック図
【図６】本発明の第２の実施形態に係る送信回路２の構成の一例を示す図
【図７】ＡＭｆｃ調整回路１１１の構成の一例を示すブロック図
【図８】本発明の第２の実施形態に係る送信回路２ａの構成の一例を示すブロック図
【図９Ａ】本発明の第３の実施形態に係る送信回路３ａの一例を示すブロック図
【図９Ｂ】本発明の第３の実施形態に係る送信回路３ｂの一例を示すブロック図
【図９Ｃ】本発明の第３の実施形態に係る送信回路３ｃの一例を示すブロック図
【図１０】本発明の第４の実施形態に係る通信機器２００の構成の一例を示すブロック図
【図１１】従来の送信回路５００の構成の一例を示すブロック図
【図１２Ａ】従来の送信回路５００が出力する送信信号に含まれるノイズを示す図
【図１２Ｂ】従来の送信回路５００が出力する送信信号の歪み（ＡＣＬＲ＠１０ＭＨｚ離れ）を示す図
【図１２Ｃ】従来の送信回路５００が出力する送信信号のＥＶＭを示す図
【符号の説明】
【００６８】
１、２、２ａ、３ａ、３ｂ、３ｃ    送信回路
１０１    信号変換器
１０２    ＡＭ可変ｆｃフィルタ
１０３    ＰＭ可変ｆｃフィルタ
１０４    位相変調器
１０５    増幅器
１０５ａ    シリーズレギュレータ
１０５ｂ    スイッチングレギュレータ
１０５ｃ    電流駆動型レギュレータ
１０６    電源端子
１０７、１０７ａ、１０７ｂ    パワーアンプ（ＰＡ）
１０８    出力端子
１０９    ＬＵＴ＿ＡＭ
１１０    ＬＵＴ＿ＰＭ
１１１    ＡＭｆｃ調整回路
１１２    ＰＭｆｃ調整回路
１１３    ＡＭ基準信号源
１１４    ＰＭ基準信号源
１１５    ＡＭ遅延調整回路
１１６    ＰＭ遅延調整回路
１１１１    参照用可変ｆｃフィルタ
１１１２    ＬＰＦ
１１１３    位相比較器
２００    通信機器
２１０    送信回路
２２０    受信回路
２３０    アンテナ共用器
２４０    アンテナ
【図１】
2008283678.tif 000003
【図２Ａ】
2008283678.tif 000004
【図２Ｂ】
2008283678.tif 000005
【図３Ａ】
2008283678.tif 000006
【図３Ｂ】
2008283678.tif 000007
【図４Ａ】
2008283678.tif 000008
【図４Ｂ】
2008283678.tif 000009
【図４Ｃ】
2008283678.tif 000010
【図５Ａ】
2008283678.tif 000011
【図５Ｂ】
2008283678.tif 000012
【図６】
2008283678.tif 000013
【図７】
2008283678.tif 000014
【図８】
2008283678.tif 000015
【図９Ａ】
2008283678.tif 000016
【図９Ｂ】
2008283678.tif 000017
【図９Ｃ】
2008283678.tif 000018
【図１０】
2008283678.tif 000019
【図１１】
2008283678.tif 000020
【図１２Ａ】
2008283678.tif 000021
【図１２Ｂ】
2008283678.tif 000022
【図１２Ｃ】
2008283678.tif 000023